(57)【要約】【課題】作物表面に略均一な強さの風を送出することができ、従来からある摘採機にも取り付けられる摘採機用露払いアタッチメントを提供する。【解決手段】本発明の摘採機用露払いアタッチメント１は、風を送り出す送風部２と、送風部２から送り出された風を導く二本のホース部３ａ，３ｂと、下面４ａを作物を跨ぐようにアーチ状に形成してあり、一方のホース部３ａを一端側に連結し、他方のホース部３ｂを他端側に連結してある吹出部４と、吹出部４の下面４ａに沿い前側に開口したスリット状の吹出口５と、を備えたことを特徴とする。  このようなスリット状の吹出口５を設けることにより、作物に略均一な強さの風を送出することができる。【選択図】図４
2010136661.tif 000002
【特許請求の範囲】
【請求項１】
風を送り出す送風部と、送風部から送り出された風を導く二本のホース部と、下面を作物を跨ぐようにアーチ状に形成してあり、一方のホース部を一端側に連結し、他方のホース部を他端側に連結してある吹出部と、吹出部の下面沿いに前側に開口したスリット状の吹出口と、を備えた摘採機用露払いアタッチメント。
【請求項２】
吹出部の下面沿いに前側に突出した突出部を形成し、この前方に前記吹出口を設けた請求項１に記載の摘採機用露払いアタッチメント。
【請求項３】
前記ホース部を、外側斜め上方から吹出部に連結してある請求項１又は２に記載の摘採機用露払いアタッチメント。
【請求項４】
前記吹出部を、断面逆三角形状に形成してある請求項１〜３のいずれかに記載の摘採機用露払いアタッチメント。
【請求項５】
前記吹出口から吹き出す風の風速が２５〜６５ｍ／ｓであり、吹出口の角度が水平方向に対して上向き１０°〜下向き４５°である請求項１〜４に記載の摘採機用露払いアタッチメント。
【請求項６】
前記作物が、茶樹畝である請求項１〜６のいずれかに記載の摘採機用露払いアタッチメント。
【請求項７】
請求項１〜６のいずれかに記載の摘採機用露払いアタッチメントを、前記吹出口が作物の上方０〜３０ｃｍに位置するように備え付けた摘採機。
【発明の詳細な説明】
【技術分野】
【０００１】
本発明は、茶樹や葉物野菜などの作物に付着した雨や朝霧などの水滴を風で払い落とすことができる摘採機用露払いアタッチメントに関する。
【背景技術】
【０００２】
茶樹や葉物野菜などの作物を摘採機で摘採する際、葉の表面に雨や朝露などにより水滴が付着していることがあり、この場合、刈り取った葉が、収容途中の段階で付着したり、刃に付着したりするなどして摘採効率が悪くなることがある。また、収穫物の品質価値を上げるため、水分が付着しなくなるのを待ち、作業を行うことがしばしばある。
そこで、摘採機で摘採する前に、露払い機で作物に対して送風し、葉の表面に付着した水滴を払い落とすことが行われている。
【０００３】
従来の露払い機としては、送風管の先端を茶樹の上面に沿うように左右に分岐させて分岐管を形成し、この分岐管に進行方向に向け円筒状に突出した吹出口を間隔をおいて複数設け、この吹出口から茶樹に向かい風を吹き出して、葉の表面に付着した水滴を払い落とせるようにした手持ち式の露払い機がある（下記特許文献１参照）。
また、上記と同様な構成の露払い機を、茶葉摘採機の前方に取り付け、水滴を払い落としながら、摘採を行なうことができるようにした摘採機がある（下記特許文献２参照）。
【０００４】
【特許文献１】特開昭５６−５００５号公報（請求項１，第１図など）
【特許文献２】特開２００１−２８号公報（請求項１，図７など）
【発明の開示】
【発明が解決しようとする課題】
【０００５】
しかし、上記のように複数の円筒状の吹出口を設けた露払い機は、吹出口付近は風が強いが、隣接する吹出口間付近は風が弱くなり、葉の表面に付着した水滴を払い落としきれないことがあった。
上記特許文献２に記載の摘採機は、露払いを行いながら摘採を行なうこともでき作業を容易にさせることができるものであり、従来からある摘採機にこのような機能を持たせられたら便利である。
【０００６】
そこで、本発明の目的は、作物表面に略均一な強さの風を吹き付けることができ、従来からある摘採機にも取り付けられる摘採機用露払いアタッチメントを提供することにある。
【課題を解決するための手段】
【０００７】
本発明の摘採機用露払いアタッチメントは、風を送り出す送風部と、送風部から送り出された風を導く二本のホース部と、下面を作物を跨ぐようにアーチ状に形成してあり、一方のホース部を一端側に連結し、他方のホース部を他端側に連結してある吹出部と、吹出部の下面に沿い前側に開口したスリット状の吹出口と、を備えたことを特徴とする。
【０００８】
このように、吹出口をスリット状にすることにより、作物表面の全体に強い風を吹き付けることができるため、露払いを確実に行うことができる。
【０００９】
上記摘採機用露払いアタッチメントは、吹出部の下面に沿い前側に突出した突出部を形成し、この前方に前記吹出口を設けるのが好ましく、また、前記両ホース部を、外側斜め上方から吹出部に連結してあるのが好ましく、さらに、前記吹出部を、断面逆三角形状に形成してあるのが好ましい。
【００１０】
このような構成とすることにより、風速が早まり、より強い風を作物に送出することができる。
【００１１】
前記摘採機用露払いアタッチメントは、前記吹出口から吹き出す風の風速が２５〜６５ｍ／ｓであり、吹出口の角度が水平方向に対して上向き１０°〜下向き４５°であるのが好ましい。
【００１２】
このような風速及び角度にすることにより、作物に付着した水滴を好適に落とすことができる。
【００１３】
前記摘採機用露払いアタッチメントは、茶樹畝に用いるのが好適である。
【００１４】
前記摘採機用露払いアタッチメントを、摘採機に前記吹出口が作物の上方０〜３０ｃｍに位置するように備え付けて、露払い作業をしながら摘採作業をすることが好ましい。
【発明を実施するための最良の形態】
【００１５】
以下、本発明の一実施形態を説明する。但し、本発明は、この実施形態に限定されるものではない。
【００１６】
本発明の一実施形態の摘採機用露払いアタッチメント１は、図１〜３に示すように、風を送り出す送風部２と、送風部２から送り出された風を導く二本のホース部３ａ，３ｂと、下面４ａを作物を跨ぐようにアーチ状に形成してあり、一方のホース部３を一端側に連結し、他方のホース部３を他端側に連結してある吹出部４と、吹出部４の下面４ａに沿い前側に開口したスリット状の吹出口５と、を備えたことを特徴とするものであり、本実施形態では、茶樹畝用摘採機６の基板部６ａの前方に設けた柵６ｂに取り付けてある。
【００１７】
送風部２は、ガソリンエンジンなどの駆動部２１と、２つのファン部２２ａ，２２ｂと、鉛蓄電池などのバッテリー部２３と、これらを載せるフレーム部２４とを備え、フレーム部２４は、外側を一段低く形成した段状の台部２４ａと、その上段後側に上向きに立ち上げた下方開口のコ字状棒材２４ｂとを備えており、棒材２４ｂの上部に設けたフック部２５を柵６ｂの進行方向左手側に引っ掛けて送風部２を摘採機６に取り付けることができる。
駆動部２１は、台部２４ａの下段に載せてあり、２つのファン部２２ａ，２２ｂは、台部２４ａの上段に進行方向に並行させて載せてあり、両ファン部２２ａ，２２ｂの軸は、連動して回転するように連結してあるとともに、駆動部２１側に突出させてあり、この突出部分と駆動部２１の出力軸とにベルトを掛け回して、駆動部２１の運転により両ファン部２２ａ，２２ｂが回転して、風を送り出すようにしてある。
バッテリー部２３は、台部２４ａの上段に、ファン部２２ｂよりも内側に載せてあり、駆動部２１のスタート時の電源や後述するモータ部１０１の電源などとして用いることができる。
【００１８】
ホース部３ａ，３ｂは、ファン部２２ａ，２２ｂから送り出された風を吹出部４に流し出すものであり、合成樹脂からなり、蛇腹状に形成され、伸縮性のあるものである。
ホース部３ａ，３ｂは、一端側をファン部２２ａ，２２ｂにそれぞれ連結してある。
【００１９】
吹出部４は、柵６ａに懸架した上下動ユニット７に取り付けてあり、図４に示すように、幅方向に伸び、内部を空隙とした断面逆三角形状に形成し、この両端面を上向きの傾斜面４１ａ，４１ｂとしてあり、この傾斜面４１ａ，４１ｂ内には、円孔が形成してあり、この円孔の縁は、面４１ａ，４１ｂに対して略垂直に突出させて連結部４２ａ，４２ｂとしてある。一端側の連結部４２ａには、一方のホース部３ａの他端側が外側斜め上方から連結され、他端側の連結部４２ｂには、他方のホース部３ｂの他端側が外側斜め上方から連結されるようにしてある。
吹出部４の下面４ａは、茶樹畝の表面に沿うように上方に凹ませたアーチ状に形成してあり、吹出部４の前面４ｂの下端には、下面４ａに沿いアーチ状に前側に突出させた突出部４３が形成してあり、突出部４３の先端には、吹出口５が形成してある。突出部４３の突き出し幅は、３ｍｍ〜１０ｍｍ、好ましくは５ｍｍ〜８ｍｍとする。
吹出部４の上面４ｃの両端側寄りには、矩形板状の固定ブラケット４４が、対面するように上方に突出させて固定してあり、この面内に円孔が形成してある。
吹出部４の後面４ｄの幅方向中間付近には、矩形板状の取付ブラケット４５が、縦向きに後側に突出させて固定してあり、この面内に円孔が形成してある。
【００２０】
吹出口５は、風を茶樹畝に対して送り出す箇所であり、細長湾曲型のスリット状に形成してあり、この開口には、複数の整流板５１が取り付けられ、中央の整流板５１は開口端縁に直交して取り付けてあり、他の整流板５１は、上端部を中央側に傾けてて取り付けてあり、垂直方向に対して約２０°の角度を設けて取り付けてある。
吹出口５の開口幅は、３ｍｍ〜５ｍｍ、好ましくは４ｍｍ〜５ｍｍとする。
【００２１】
上下動ユニット７は、吹出部４を上下方向に移動させることができるものであり、レールユニット８と、レールユニット８の前側でスライドするスライドユニット９と、スライドユニット９を駆動させるモータユニット１０と、を備えている。
【００２２】
レールユニット８は、上下方向に伸びたリップ溝型のレール材８１を、長手開口が外向きになるように左右に並行させてあり、これらは、その後面の上端寄りに設けた連結部材８２と、下端寄りに設けた固定部材８３とにより連結してある。
連結部材８２は、コ字状に折り曲げたパイプ材の両先端部を、それぞれのレール材８１の後面に横向きに突出するように固定してあり、連結部材８２の中間付近には、フック部８４が設けてある。このフック部８４は、柵６ｂの中間付近に引っ掛けて上下動ユニット７を摘採機６に取り付けることができるようにしてある。
固定部材８３は、摘採機６の基板部６ａの前面幅と略同じ長さの長尺角柱状に形成してあり、両端部を締結部材などにより基板部６ａの前面に固定し、レール材８１の後側に位置させ、その下端寄りを固定してある。
【００２３】
スライドユニット９は、レール材８１の前側をスライドするスライド材９１と、そのスライド材９１に固定し、吹出部４を支える支持部９２とを備えている。
スライド材９１は、矩形状板材を断面略コ字状に折り曲げた形状としてあり、この一側面内側に２つのローラを配し、該ローラがレール材８１内を転がり、スライド材９１がレール材８１の前面をスライドするようにしてある。スライド材９１の前面には、支持材９２が設けてあり、支持材９２は、それぞれのスライド材９１の前面から下方に伸びる円柱棒状の固定部９２ａと、両端部を前側に突出するように折り曲げた円柱状棒材からなる支持部９２ｂとを備え、支持部９２ｂの中間付近を固定部９２ａの下端部に架設して固着してある。
【００２４】
支持部９２ｂの両先端部には、後側下方隅部を斜めに切欠いた矩形板状の支持板９３が対面するように取り付けてあり、支持板９３の前側下方隅部に設けた円孔と吹出部４の固定ブラケット４４の円孔とに締結部材を挿し込み、回転可能に連結してある。
両支持板９３の上側には、上方に突出し、先端を上方が開口するＣ状に形成したホース支持部９４が形成してあり、ホース部３ａ，３ｂが支持できるようにしてある。また、両支持板９３の前側には、板材を下方に突出しするように取り付け、その両下端部に、吹出口５前側に位置する、上方に膨らんだ湾曲状のガード部９５が架設されており、ガード部９５により吹出口５に直接枝などが当たらないようにしてある。
【００２５】
支持部９２ｂの中間付近には、円孔を形成してある矩形状板の取付部９２ｃを、前側に突出するように縦向きに形成してあり、角度調整部材７１を取り付けることができるようにしてある。
角度調整部材７１は、長円状板の面内に細長状の長孔と円孔とを長手中心線上に設けた形状としてあり、該長孔と取付部９２ｃの円孔に、角度調整部材７１がスライド可能に締結部材で固定し、角度調整部材７１の円孔と吹出部４の取付ブラケット４５の円孔とに、締結部材を挿し込み、これらを回転可能に連結し、角度調整部材７１をスライドさせることにより吹出部４の角度が調整できるようにしてある。この際、吹出口５の角度が、水平方向に対して上向き１０°〜下向き４５°、好ましくは０°〜下向き３５°の向きに調整できるようにしてある。
【００２６】
モータユニット１０は、レール材８１間に配したモータ部１０１と、レール材８１間の下方の左右方向に位置させ、モータ部１０１の駈動により回転する回転軸１０２と、回転軸１０２の両端側に固定したスプロケット１０３と、レール材８１の上方の内側に配したスプロケット１０４と、上下のスプロケット１０３，１０４に掛け回したチェーン部１０５とを備えており、チェーン部１０５はスライド材９１の内側側面に固定してある。
【００２７】
なお、上記した駆動部２１及びモータ部１０１は、柵６ｂに取り付けた操作部１１に導線で接続し、これらの駆動を操作できるようにしてある。
【００２８】
以下に、摘採機用露払いアタッチメント１の使用方法を説明する。
まず、吹出部４の高さ及び角度を調整する。
吹出部４の高さは、茶樹畝の表面から上方に０〜３０ｃｍ、好ましくは０〜２０ｃｍ、さらに好ましくは０〜１０ｃｍの位置に設定する。この設定は、モータユニット１０を作動させることにより行うことができる。モータユニット１０は、モータ部１０１を回転させることにより回転軸１０２が回転し、それとともにスプロケット１０３も回転してチェーン１０４が回り、チェーン１０４に固定したスライド材９１を上下動させることができ、これにより、吹出部４の高さを好ましい位置に設定できる。
吹出部４の角度は、吹出口５が水平方向に対して上向き１０°〜下向き４５°、好ましくは０°〜下向き３５°の向きになるように設定する。この設定は、角度調整部材７１をスライドさせて、適宜位置で締結固定することにより調整することができる。
【００２９】
次に、吹出口５から吹出す風の風速を調整する。
吹出口５から吹き出す風の風速は、２５〜６５ｍ／ｓ、好ましくは３０〜６５ｍ／ｓに設定する。この設定は、送風部２を制御することにより行うことができる。送風部２は、駆動部２１を始動させ、ファン部２２ａ，２２ｂを動かして風をホース部３ａ，３ｂに送り出す。ホース部３ａ，３ｂを流れてきた風は、吹出部４内に入り込み、吹出口５から吹出される。駆動部２の運転を調整しながら、吹出口５付近の風速を測定し、最適な風速になるように調整することができる。
【００３０】
このように、それぞれを調整し終えた後、摘採機６の運転を始める。茶樹畝には、吹出口５から吹出された風が当たり、葉などの付着していた水滴や虫などが払い落とされる。その後、摘採機６の摘採装置により、これらの葉が摘採されるので、葉には水滴などの水分が付着しておらず摘採作業が容易になる。
【００３１】
作業をし終えた後は、駆動部２１の運転を停止させ、送風を止め、摘採機用露払いアタッチメント１を取り外すことができる。
取り外す際、送風部２は、フック部２５を柵６ｂから外すことにより、摘採機６から取り外すことができ、吹出部４は、モータ部１０１を駆動させて、上方に移動させ、固定部材８３の両端部の締結部材を緩めて外し、フック部８４を柵６ｂから外すことにより、上下動ユニット７とともに摘採機６から取り外すことができる。
【００３２】
摘採機用露払いアタッチメント１を取り付ける際は、少なくともフック部２５，８４を摘採機の前側の柵などに引っ掛ければよく、従来からある摘採機にも容易に取り付けることができる。
【００３３】
このように、本発明の摘採機用露払いアタッチメントは、従来からある摘採機にも着脱容易であり、雨天、朝霧や雨上がりなど作物に水滴が付着している場合でも、摘菜作業を行うことができる。
【００３４】
本発明では、吹出口をスリット状に形成したため、作物全体に風を当てることができ、また、強い風を送り出すことができ、作物に付着した水滴を確実に払い落とすことができる。
【００３５】
上記実施形態では、摘採機用露払いアタッチメントは、茶樹畝に対して好適に設計してあるが、他の作物、例えば、しそ、ほうれん草、ベビーリーフ、モロヘイヤなどに対して用いることもでき、これらに対して好適なように吹出部の下面形状などを適宜変更することもできる。
【００３６】
（性能テスト）
試験品を作成して性能テストを実施した。以下、その説明をする。
【００３７】
（試験品１）
図６に示すようにスリット状の吹出口（開口幅４ｍｍ）を有する吹出部を作成し、これを摘採機用露払いアタッチメントに取り付けた。これを用いて、吹出口の進行方向右側端部を基準点（０ｃｍ）として、そこから吹出口に沿い１０ｃｍ毎に中間の９０ｃｍの箇所まで風速測定を行った。風速測定は、吹出口直近（０ｃｍ）と吹出口から１０ｃｍの２箇所で行い、風速計で測定した。
この際、駆動部としてはガソリンエンジンのホンダＧＸ３９０（本田技研工業製）を用い、ファン部としては、（株）寺田製作所製乗用摘採機で使用のターボブロアを用い、回転数６０８０ｒｐｍで行った。
その結果を表１及び図７に示す。
【００３８】
【表１】
2010136661.tif 000003
【００３９】
（試験品２）
図８に示すように適宜間隔の円筒状の吹出口を有する吹出部を作成し、これを摘採機用露払いアタッチメントに取り付けた。これを用いて、吹出口の進行方向右側の吹出口を基準点（０ｃｍ）として、そこから吹出口に沿い４．５ｃｍ毎に中間の８１ｃｍの箇所まで風速測定を行った。風速測定は、吹出口直近（０ｃｍ）と吹出口から１０ｃｍと吹出口から２０ｃｍの３箇所で行い、風速計で測定した。
この際、駆動部としてはガソリンエンジンのホンダＧＸ３９０（本田技研工業製）を用い、ファン部としては（株）寺田製作所製乗用摘採機で使用のターボブロアを用い、回転数７２３０ｒｐｍ）で行った。
その結果を表２及び図９に示す。
【００４０】
【表２】
2010136661.tif 000004
【００４１】
（結果）
試験品１では、どの箇所でも略均一の風速の風が吹出されていたが、試験品２では、風速のばらつきが大きい。また、試験品１と略同じ風速を吹出させるためには試験品２ではファンの回転数を上げなければならない。
このため、スリット状の吹出口形状であれば、作物に全体に強い風を送り出し、作物に付着した水滴を確実に払い落とせるが、円筒状の吹出口形状であれば、作物に付着した水滴を払い落とせない箇所が出てくるものである。
【図面の簡単な説明】
【００４２】
【図１】本発明の摘採機用露払いアタッチメントを摘採機前方に取り付けた状態を示した斜視図である。
【図２】図１の摘採機用露払いアタッチメントにおいて、ホース部を一部省略した斜視図である。
【図３】図１の摘採機用露払いアタッチメントにおいて、ホース部を一部省略した正面図である。
【図４】図１の摘採機用露払いアタッチメントの構成部品である吹出部を示し、（Ａ）は斜視図、（Ｂ）は（Ａ）の円で囲んだ箇所の拡大図である。
【図５】図１の摘採機用露払いアタッチメントにおいて、吹出部を上方に移動させた状態を示した斜視図である。
【図６】試作品１の吹出部を示し、（Ａ）は斜視図、（Ｂ）は正面図である。
【図７】試験品１の風速測定の結果を示したグラフである。
【図８】試作品２の吹出部を示した正面図である。
【図９】試作品２の風速測定の結果を示したグラフである。
【符号の説明】
【００４３】
１摘採機用露払いアタッチメント  
２送風部
２１駆動部
２２ａ，２２ｂファン部
２３バッテリー部
２４フレーム部
２４ａ台部
２４ｂ棒材
２５フック部
３ａ，３ｂホース部
４吹出部
４ａ下面
４ｂ前面
４ｃ上面
４ｄ後面
４１ａ，４１ｂ傾斜面
４２ａ，４２ｂ連結部
４３突出部
４４固定ブラケット
４５取付ブラケット
５吹出口
６摘採機
６ａ基板部
６ｂ柵
７上下動ユニット
７１角度調整部材
８レールユニット
８１レール材
８２連結部材
８３固定部材
８４フック部
９スライドユニット
９１スライド材
９２支持材
９２ａ固定部
９２ｂ支持部
９２ｃ取付部
９３支持板
９４ホース支持部
９５ガード部
１０モータユニット
１０１モータ部
１０２回転軸
１０３スプロケット
１０４スプロケット
１０５チェーン
１１操作部
【図１】
2010136661.tif 000005
【図２】
2010136661.tif 000006
【図３】
2010136661.tif 000007
【図４】
2010136661.tif 000008
【図５】
2010136661.tif 000009
【図６】
2010136661.tif 000010
【図７】
2010136661.tif 000011
【図８】
2010136661.tif 000012
【図９】
2010136661.tif 000013